(57)【特許請求の範囲】
【請求項１】
軸と一体に回転するディスクを両側から挟圧して制動する複数の制動体を、これらの制動体の両側にそれぞれ設けられた支持ピンを介し所定間隔をあけてペデスタルに固定するエレベータ巻上機の制動体用保守装置において、
保守対象となる制動体と、この保守対象となる制動体と隣り合う制動体との各々に、これらの制動体を保持するスタンドを固定するとともに、これらのスタンド間に調整手段を装着し、前記保守対象となる制動体を前記ペデスタルに固定する前記支持ピンの一方を解除して前記調整手段を操作することにより前記保守対象となる制動体を前記ディスクから離隔することを特徴としたエレベータ巻上機の制動体用保守装置。
【請求項２】
前記調整手段を、前記保守対象となる制動体に固定された前記スタンドに回転可能に設けられるリンクと、前記隣り合う制動体に固定された前記スタンドに回転可能に設けられるホルダと、一方が前記リンクに固定されるとともに他方が前記ホルダを介して延長されるねじ棒と、前記ホルダに取付けられ、かつ前記ねじ棒と螺合し、その回転により前記ねじ棒を移動させる調整ナットとで構成したことを特徴とした請求項１記載のエレベータ巻上機の制動体用保守装置。
【発明の詳細な説明】
【技術分野】
【０００１】
本発明は、ディスクを複数の制動体により挟圧して制動する大容量のエレベータ巻上機の制動体用保守装置に関する。
【背景技術】
【０００２】
従来、エレベータ巻上機の保守を行う場合、例えば、軸と一体に回転するディスクを両側から挟圧して制動する制動体に取付けられるライニング交換を行なう場合、機械室天井に設けられた吊り金具等を利用し、チェーンブロック等の揚重機を用いて制動体の脱着を行っていた。
【発明の開示】
【発明が解決しようとする課題】
【０００３】
しかしながら、大容量のエレベータに備えられる巻上機にあっては、ディスクを複数の制動体により挟圧して制動するものがあり、このような巻上機にあって従来のようにチェーンブロック等の揚重機を用いて順次制動体の脱着を行うと、手間がかかり作業に多大の時間を要するという問題があった。また、揚重機の運搬、取り付け等に労力を要するという問題があった。
【０００４】
本発明は、前述した従来技術における実状からなされたもので、その目的は、容易に制動体の脱着を行うことのできるエレベータ巻上機の制動体用保守装置を提供することにある。
【課題を解決するための手段】
【０００５】
前記目的を達成するために、本発明の請求項１に係る発明は、軸と一体に回転するディスクを両側から挟圧して制動する複数の制動体を、これらの制動体の両側にそれぞれ設けられた支持ピンを介し所定間隔をあけてペデスタルに固定するエレベータ巻上機の制動体用保守装置において、保守対象となる制動体と、この保守対象となる制動体と隣り合う制動体との各々に、これらの制動体を保持するスタンドを固定するとともに、これらのスタンド間に調整手段を装着し、前記保守対象となる制動体を前記ペデスタルに固定する前記支持ピンの一方を解除して前記調整手段を操作することにより前記保守対象となる制動体を前記ディスクから離隔することを特徴としている。
【０００６】
このように構成した本発明の請求項１に係る発明は、保守対象となる制動体の脱着を行う場合、まず、保守対象となる制動体、および保守対象となる制動体と隣り合う制動体の各々に、これらの制動体を保持するスタンドを固定するとともに、スタンド間に調整手段を装着する。この後、保守対象となる制動体をペデスタルに固定する支持ピンの一方を解除し、調整手段を操作することで保守対象となる制動体をディスクから離隔する。次いで、所定の保守作業を行った後、再び調整手段を操作して制動体を装着する。これによって、従来のようにチェーンブロック等の揚重機を用いることなく、容易に制動体の脱着を行うことができる。
【０００７】
また、本発明の請求項２に係る発明は、前記調整手段を、前記保守対象となる制動体に固定された前記スタンドに回転可能に設けられるリンクと、前記隣り合う制動体に固定された前記スタンドに回転可能に設けられるホルダと、一方が前記リンクに固定されるとともに他方が前記ホルダを介して延長されるねじ棒と、前記ホルダに取付けられ、かつ前記ねじ棒と螺合し、その回転により前記ねじ棒を移動させる調整ナットとで構成したことを特徴としている。
【０００８】
このように構成した本発明の請求項２に係る発明は、調整手段として、保守対象となる制動体側のスタンドにリンクが設けられるとともに、隣り合う制動体側のスタンドにホルダが設けられ、かつねじ棒の一方がリンクに固定されるとともにその他方が調整ナットを介してホルダに移動可能に支持される。この状態で支持ピンの一方を解除し調整ナットを回転することで隣り合う制動体で荷重を受けつつ保守対象となる制動体の脱着を行う。このように、調整ナットを回転することで制動体を移動する構造とするともに、保守対象となる制動体の荷重を隣り合う制動体で受けるという構造とすることにより、容易、かつ確実に制動体の脱着を行うことができる。
【発明の効果】
【０００９】
本発明によれば、チェーンブロック等の揚重機を用いることなく、容易に制動体の脱着を簡単に行うことができ、これによって、保守作業に要する時間および労力の低減を図ることができる。
【発明を実施するための最良の形態】
【００１０】
以下、本発明に係るエレベータ巻上機の制動体用保守装置の実施の形態を図に基づいて説明する。
【００１１】
図１は本発明の対象となるエレベータ巻上機の側面図、図２は本発明の一実施形態となる制動体用保守装置を図１のエレベータ巻上機に取付けた状態を示す側面図、図３は制動体用保守装置を操作して制動体をディスクから離隔した状態を示す側面図である。
【００１２】
エレベータは図１に示すように、昇降体を駆動するための巻上機１を有しており、この巻上機１の軸２は図示しない駆動手段により回転駆動されるとともに、軸２にはシーブ（図示せず）やディスク３が固定されている。また、ディスク３に隣接して配置されるペデスタル４には、ディスク３を両側から挟圧して制動する複数の制動体５、６、７、８（この例では４個）が、これらの制動体５〜８の両側にそれぞれ設けられた支持ピン９ａ、９ｂ、１０ａ、１０ｂ、１１ａ、１１ｂ、１２ａ、１２ｂを介し所定間隔をあけて固定されている。
【００１３】
そして、本実施形態の制動体用保守装置は図２、３に示すように、保守対象となる制動体、例えば制動体５を保持するスタンド１３と、この保守対象となる制動体５と隣り合う制動体６を保持するスタンド１４と、これらのスタンド１３、１４間に装着される調整手段、すなわち、スタンド１３にピン１５を介して回転可能に設けられるリンク１６と、スタンド１４にピン１７を介して回転可能に設けられるホルダ１８と、一方がリンク１６に固定されるとともに他方がホルダ１８を介して延長されるねじ棒１９と、ホルダ１８に取付けられ、かつねじ棒１９と螺合し、その回転によりねじ棒１９を移動させる調整ナット２０とを備えている。
【００１４】
制動体５の保守を行う場合、図２に示すように、まず、保守対象となる制動体５にスタンド１３を固定するとともに、保守対象となる制動体５と隣り合う制動体６にスタンド１４を固定する。なお、本実施形態の制動体用保守装置にあっては、あらかじめスタンド１３、スタンド１４、リンク１６、ホルダ１８、ねじ棒１９および調整ナット２０は一体として組み立てられており、スタンド１３を制動体５に固定するとともに、スタンド１４を制動体６に固定することで図２に示す状態となる。この後、支持ピン９ｂを取外し、調整ナット２０を回転してねじ棒１９を制動体５側に移動する。これにより、制動体５は図３に示すようにディスク３から離隔する。次いで、所定の保守作業を行った後、調整ナット２０を反対方向に回転してねじ棒１９を制動体６側に移動することにより再び制動体５をペデスタル４に装着する。
【００１５】
このように、本発明によればチェーンブロック等の揚重機を用いることなく、容易に制動体５〜８の脱着を簡単に行うことができ、これによって、保守作業に要する時間および労力の低減を図ることができる。
【００１６】
なお、本実施形態では、あらかじめスタンド１３、スタンド１４、リンク１６、ホルダ１８、ねじ棒１９および調整ナット２０を一体として組み立てたものとして説明したが、本発明はこれに限らず、それぞれを分割した構造とし、作業工程に応じて順次組み立てていくものとしてもよい。
【図面の簡単な説明】
【００１７】
【図１】本発明の対象となるエレベータ巻上機の側面図である。
【図２】本発明の一実施形態となる制動体用保守装置を図１のエレベータ巻上機に取付けた状態を示す側面図である。
【図３】制動体用保守装置を操作して制動体をディスクから離隔した状態を示す側面図である。
【符号の説明】
【００１８】
１  巻上機
２  軸
３  ディスク
４  ペデスタル
５〜８  制動体
９ａ〜１２ｂ  支持ピン
１３、１４  スタンド
１５、１７  ピン
１６  リンク（調整手段）
１８  ホルダ（調整手段）
１９  ねじ棒（調整手段）
２０  調整ナット（調整手段）
【図１】
0004909829.tif 000002
【図２】
0004909829.tif 000003
【図３】
0004909829.tif 000004